(57)【要約】【課題】  撮影者がタッチパネルを押圧したときに、フォーカス枠を押圧した位置で固定させるか、押圧した位置にある被写体に追尾させるかを選択させる手間を省くことを可能にした撮像装置を提供する。【解決手段】  タッチパネルが操作される前に、被写体が変化しても自動的にフォーカス枠の位置およびサイズを変化させないフォーカスモードに設定されていれば、タッチパネルが設定されることによってフォーカス枠の位置をタッチパネルにて設定された位置に固定するタッチ固定フォーカスモードを設定する。反対に、タッチパネルが操作される前に、被写体の変化に応じて自動的にフォーカス枠の位置およびサイズの少なくとも一方を変化させるフォーカスモードに設定されていれば、タッチパネルが設定されることによって、フォーカス枠の位置をタッチパネルにて設定された位置における被写体に追尾させるタッチ追尾フォーカスモードを設定する。【選択図】  図１
2011030008.tif 000002
【特許請求の範囲】
【請求項１】
画像におけるフォーカス枠の位置を設定するためのタッチパネルと、
フォーカス枠が設定された画像から得られた評価値を用いて、撮影光学部の位置を調整する自動焦点調節処理手段と、
前記タッチパネルが操作されることによって、前記フォーカス枠の位置を前記タッチパネルにて設定された位置に固定したまま前記画像から前記評価値を求めるタッチ固定フォーカスモードと、前記フォーカス枠の位置を前記タッチパネルにて設定された位置における被写体に追尾させて前記画像から前記評価値を求めるタッチ追尾フォーカスモードのいずれかを設定する制御手段と、を備え、
前記制御手段は、前記タッチパネルが操作される前に、被写体が変化しても自動的に前記フォーカス枠の位置およびサイズを変化させないフォーカスモードに設定されていれば、前記タッチパネルが設定されることによって前記タッチ固定フォーカスモードを設定し、前記タッチパネルが操作される前に、被写体の変化に応じて自動的に前記フォーカス枠の位置およびサイズの少なくとも一方を変化させるフォーカスモードに設定されていれば、前記タッチパネルが設定されることによって、前記タッチ追尾フォーカスモードを設定することを特徴とする撮像装置。
【請求項２】
前記被写体の変化に応じて自動的に前記フォーカス枠の位置およびサイズの少なくとも一方を変化させるフォーカスモードとは、複数のフォーカス枠のうち、被写体の位置が至近であるフォーカス枠を選択する多点フォーカスモードであることを特徴とする請求項１に記載の撮像装置。
【請求項３】
前記被写体の変化に応じて自動的に前記フォーカス枠の位置およびサイズの少なくとも一方を変化させるフォーカスモードとは、画像から人物の顔としての条件を満たす領域を検出し、前記顔の領域に対してフォーカス枠を設定する顔フォーカスモードであることを特徴とする請求項１または２に記載の撮像装置。
【発明の詳細な説明】
【技術分野】
【０００１】
本発明は、撮像装置に関し、特にタッチパネルを押圧した位置にある被写体を追尾しながらフォーカスを合わせる機能を備えた撮像装置に関するものである。
【背景技術】
【０００２】
デジタルカメラやビデオカメラは、一般的に、フォーカス枠と重なる位置の被写体にピントを合わせる構成を有している。また、フォーカス枠の位置が固定されておらず、指定された対象物の移動に追従するようフォーカス枠の位置を自動で移動させて、対象物を追尾しながらピントを合わせるものがある（例えば、特許文献１を参照）。
【０００３】
さらに、操作者がフォーカス枠の位置を指定するための操作部材として、ボタンやダイヤル等の代わりに、画像の表示部にタッチパネルを設けたものがある（例えば、特許文献２を参照）。
【０００４】
これらの技術を組み合わせることで、操作者がタッチパネルでフォーカス枠の位置を指示し、この位置にいた対象物に対して追尾を行いながらピントを合わせる構成とすることができる。
【先行技術文献】
【特許文献】
【０００５】
【特許文献１】特開２００５−２１５０４０号公報
【特許文献２】特開２００１−１５９７３０号公報
【発明の概要】
【発明が解決しようとする課題】
【０００６】
従来の多点のフォーカス枠を用いたり、検出された顔にフォーカス枠を合わたりするＡＦ処理から、タッチパネルを用いたＡＦ処理に切り替えるため、メニュー画面等でこれらの切り替えの設定を行わせる構成では操作者の手間がかかる。
【０００７】
そこで、操作者がタッチパネルを押圧することによって、これらのタッチパネルを用いない従来のＡＦ処理から、タッチパネルで押圧された位置にフォーカス枠を合わせるタッチＡＦ処理に切り替えることが望ましい。
【０００８】
しかしながら、操作者がタッチパネルでフォーカス枠の位置を指示した場合に、操作者が必ずしもその位置にいる対象物を追尾してほしいことを望んでいるとは限らない。
【０００９】
例えば、撮影画角の中にいる一部の被写体に予めピントを合わせておいて、画像が所望の構図となった場合に静止画の撮影を指示する、いわゆる置きピンという撮影手法を望む場合もある。このような場合は、操作者がタッチパネルでフォーカス枠の位置を指示した場合には、フォーカス枠の位置は固定されていることが望ましい。
【００１０】
そのため、タッチパネルを用いない従来のＡＦ処理から、タッチＡＦに切り替えるたびに、フォーカス枠の位置を固定するのか、あるいは、対象物に追従させるのかを操作者に選択させる必要が生じてしまう。
【００１１】
そこで、本発明は、撮影者がタッチパネル上でタッチパネルを押圧したときに、フォーカス枠を押圧した位置で固定させるか、押圧した位置にある被写体に追尾させるかを選択させる手間を省くことを可能にした撮像装置を提供することを目的とする。
【課題を解決するための手段】
【００１２】
上記目的を達成するために、本発明は、タッチパネルを押圧することによって、画面上のどの位置にフォーカス枠を設定するかを指定することができるフォーカス枠位置設定手段と、前記フォーカス枠位置設定手段によって指定した位置にある被写体の移動を検出して、移動に追従するように前記フォーカス枠の位置を変更する被写体追尾手段を備え、タッチパネルを押圧したときに、押圧した位置にフォーカス枠を固定するか、押圧した位置にある被写体の移動を検出して、被写体の移動に追尾してフォーカス枠の位置を変更するかを、予め設定されているフォーカスモードの種類によって切り替えることを特徴とする。
【発明の効果】
【００１３】
本発明によれば、撮影者がタッチパネルを押圧したときに、フォーカス枠を押圧した位置で固定させるか、押圧した位置にある被写体に追尾させるかを選択させる手間を省くことを可能にした撮像装置を提供することができる。
【図面の簡単な説明】
【００１４】
【図１】本実施形態におけるデジタルカメラの構成を示すブロック図である。
【図２】本実施形態におけるデジタルカメラの背面図である。
【図３】多点フォーカスモードを説明するための図である。
【図４】固定フォーカスモードを説明するための図である。
【図５】顔フォーカスモードを説明するための図である。
【図６】タッチ追尾フォーカスモードを設定するための図である。
【図７】タッチ固定フォーカスモードを設定するための図である。
【図８】本実施形態におけるフォーカスモードの選択を含む撮像処理を説明するためのフローチャートである。
【発明を実施するための形態】
【００１５】
以下で図面を用いながら、本発明の好ましい実施形態について詳細に説明する。
【００１６】
（第１の実施形態）
第１の実施形態では、動画像における特定の被写体を追尾する機能を有する画像処理装置として、撮像装置であるデジタルカメラを例にあげて説明を行う。無論、デジタルビデオカメラや監視カメラシステムのような撮像装置であっても本発明を適用することはできる。
【００１７】
図１は、本実施形態におけるデジタルカメラの構成を示すブロック図である。
【００１８】
フォーカスレンズを含む撮影光学部１０１を透過した被写体からの反射光は、絞り部１０２によってその光量が調整され、撮像素子１０３へ到達する。
【００１９】
撮像素子１０３は、受光した被写体像を、露光量に応じた電荷に変換する光電変換素子である。光電変換素子としてはＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが適用される。
【００２０】
Ａ／Ｄ変換部１０４は、撮像素子１０３から出力されたアナログ信号に対して、サンプリング、ゲイン調整、Ａ／Ｄ変換等を行い、ディジタル信号の画像データとして出力する。
【００２１】
画像処理部１０５は、Ａ／Ｄ変換部１０４から出力されたディジタル信号の画像データに対して各種の画像処理を行い、処理済みの輝度信号、色差信号からなる画像データを出力する。例えば、各種の画像処理としてはホワイトバランス処理、色収差補正処理、色滲み抑圧処理、歪曲収差補正処理、エッジ強調処理、あるいは、ノイズリダクション処理等が含まれている。
【００２２】
メモリ１０６は画像処理部１０５で処理された画像データや、画像記憶部１０８から読み出した画像データを記憶する。
【００２３】
フォーマット変換部１０７は、画像処理部１０５から出力されたディジタル信号の画像データのフォーマットをＪＰＥＧなどのフォーマットに変換し、画像記憶部１０８に出力する。あるいは、画像記憶部１０８に記憶した画像データを読み出し、フォーマットを変換して画像処理部１０５へ出力する。
【００２４】
画像記憶部１０８は、フォーマット変換部１０７から出力されたフォーマット変換済みの画像データを、デジタルカメラ内の不図示のメモリや、デジタルカメラに挿入されている外部メモリなどに記憶する処理を行う。
【００２５】
表示制御部１０９は画像処理部１０５やメモリ１０６から画像データを受け取り、表示部１１０の解像度に合わせて画像データの解像度変換を行い、表示部１１０にこれらの画像データを用いた画像を表示させる。また、表示制御部１０９は追尾対象の被写体の位置を操作者が認識できるよう、表示部１１０に対して、追尾対象の被写体が占める領域である追尾領域を囲う追尾枠を画像に重畳して表示するよう指示を出す。
【００２６】
表示部１１０は、液晶画面で構成されており、画像処理部１０５による処理済みの画像データを用いて動画像を表示し、表示制御部１０９から通知された追尾領域の位置および範囲に応じて、この動画像に追尾枠を重畳表示する。
【００２７】
ＡＦ処理（自動焦点調節処理）部１１１は、画像処理部１０５より出力された画像データから求められたＡＦ評価値に応じて、撮影光学部１０１のフォーカスレンズの位置を調整して、撮像素子１０３に入射する被写体像の結像位置を変更する。
【００２８】
ＡＥ処理（自動露出処理）部１１２は、画像処理部１０５より出力された画像データから求められた被写体輝度に応じて、絞り部１０２の開口径を調整して、撮像素子１０３に入射する光量を変更する。
【００２９】
制御部１１３は、このデジタルカメラ全体の動作を制御する。
【００３０】
タッチパネル１１４は、デジタルカメラの操作者がこのデジタルカメラに対して各種の指示を入力するための、表示部１１０と一体的に構成された操作部である。このタッチパネル１１４は、表示部１１０の画面をタッチすることで操作が可能となるタッチセンサを含んでおり、このタッチセンサにより、操作者は追尾対象とする被写体の位置を指定することができる。このタッチセンサにて指定された被写体の位置の情報は、制御部１１３を通して表示制御部１０９へと伝えられる。
【００３１】
図２は、本実施形態におけるデジタルカメラの背面図である。デジタルカメラの背面の大部分を表示部１１０が占めており、この表示部１１０にて撮影した画像や、画像記憶部１０８から読み出した画像を操作者が見ることができる。この表示部１１０にはタッチパネル１１４も組み込まれており、操作者は表示部１１０の表面の透明なガラス、あるいは、樹脂部材を押圧することで、画像中の任意の被写体を指定することができる。
【００３２】
次に、本実施形態におけるＡＦ処理の種類について説明する。まずは、操作者がタッチパネル１１４を用いて被写体の位置を指定していない場合のＡＦ処理である、多点フォーカスモード、固定フォーカスモード、顔フォーカスモードについて説明する。
【００３３】
図３は、多点フォーカスモードを説明するための図である。本実施形態の多点フォーカスモードでは、画面の中央部に９分割された複数のフォーカス枠が設定されており、これら９つのフォーカス枠のそれぞれにおいてＡＦ評価値を算出する。ＡＦ処理部１１１は、それぞれのＡＦ評価値の相対評価から主被写体が存在していると判断されるフォーカス枠を選択し、選択された１つ、あるいは、複数のフォーカス枠における被写体にピントが合うように撮影光学部１０１のフォーカスレンズを駆動する。
【００３４】
本実施形態のカメラでは、フォーカスレンズを駆動しながらそれぞれのフォーカス枠のＡＦ評価値を算出し、至近に位置すると判断された被写体に対してピントを合わせるものとする。
【００３５】
図３の３０１は表示部１１０に表示された画像の全体像であり、３０２、３０３、３０４は画像中の人物であり、３０５は３行３列に９分割されたフォーカス枠である。フォーカス枠３０５のうち、他のフォーカス枠よりも太線で示されたフォーカス枠が、主被写体が存在するフォーカス枠として選択されたものである。図３（ａ）で至近に位置する人物３０２にかかる中央列の上、中段のフォーカス枠が主被写体が存在するフォーカス枠として選択されている。図３（ｂ）では至近に位置する人物３０２が、図３（ａ）に比較して画像の右下方向に向かって移動しており、右列の上、中、下段のフォーカス枠が選択されている。
【００３６】
図４は、固定フォーカスモードを説明するための図である。本実施形態の固定フォーカスモードでは、画像の中央に初期設定で定められた大きさの１つのフォーカス枠が表示され、操作者はボタンやダイヤルを操作することで、このフォーカス枠の位置や大きさを任意に変更することができる。ＡＦ処理部は操作者からの指示がなければ、このフォーカス枠を移動させることはなく、同じ位置でＡＦ評価値を算出し続ける。
【００３７】
図４の４０１は表示部１１０に表示された画像の全体像であり、４０２は画像中の人物であり、４０３は画像中の背景の１つである木であり、４０４は操作者によってその位置が設定された固定フォーカス枠である。
【００３８】
ＡＦ処理部１１１は、図４（ａ）では木４０３にピントを合わせ、図４（ｂ）では木の手前に位置する人物４０２にピントを合わせるよう、フォーカスレンズを駆動する。なお、図４（ａ）で木４０３にピントを合わせた時点で不図示のシャッターボタンを半押ししてピント位置を固定させておいて、人物４０２がこの木のすぐ前を通過したときにシャッターボタンを全押しすれば、いわゆる置きピンによる撮影が可能となる。
【００３９】
図５は、顔フォーカスモードを説明するための図である。本実施形態の顔フォーカスモードでは、画像から人物の顔としての条件を満たす領域を、例えばパターンマッチングを用いて抽出し、この検出された顔の領域に対してフォーカス枠を設定する。顔の領域が複数抽出された場合は、それぞれの顔に対して、顔の大きさが大きいほど、顔が画像の中央部に近いほど、顔としての条件を満たす程度が大きいほど値が高くなるように評価値を求め、最も評価値の高い顔に対してフォーカス枠を設定する。この顔の抽出を繰り返すことで、フォーカス枠を顔の領域に対して追尾させることができる。
【００４０】
図５の５０１は表示部１１０に表示された画像の全体像であり、５０２は背景の木であり、５０３は画像中の人物であり、５０４は画像から抽出された顔の領域を覆うように位置およびサイズが設定されたフォーカス枠である。
【００４１】
ＡＦ処理部１１１は顔フォーカスモードに設定されているときは、顔が抽出できなければ図３に示すような多点フォーカスモードと同じ処理を実行しており、画像処理部１０５が画像中から人物の顔を抽出すると、抽出した顔の位置へとフォーカス枠を移動させる。ただし、図５（ａ）に示すように、顔フォーカスモードに設定されているときは、多点フォーカスモードと同じ処理を実行していたとしても、図３に示すような複数のフォーカス枠は表示しないようにしてもよい。この後、画像から人物の顔が抽出できれば、図５（ｂ）に示すように顔の位置へフォーカス枠を移動させる。
【００４２】
続いて、操作者がタッチパネル１１４を用いて被写体の位置を指定した場合のＡＦ処理である、第１のモードとしてのタッチ固定フォーカスモード、および、第２のモードとしてのタッチ追尾フォーカスモードについて説明する。これらのタッチ追尾フォーカスモード、および、タッチ固定フォーカスモードは、操作者が表示部１１０の画像が表示されている画面上のいずれかに触れることによって、上述した３つのフォーカスモードのいずれかから切り替えられる。
【００４３】
図６は、タッチ追尾フォーカスモードを設定するための図である。本実施形態のタッチフォーカスモードでは、操作者がタッチパネル１１４によって指定した任意の位置を中心に追尾フォーカス枠を設定し、その追尾フォーカス枠に位置していた被写体を連続して検出することで、追尾フォーカス枠をその被写体の追尾させる。画像処理部１０５は制御部１１３からタッチパネルにて操作者が指定した位置を示す情報を受け取り、その位置を中心として、画像データ上に追尾領域を設定し、その領域内の画像データを記憶する。画像処理部１０５は、画像データが更新される度に、記憶した画像データと最も相関の高い領域を検出し、その相関の高い領域の位置を新たな追尾領域として更新する。さらに、記憶データが、更新された追尾領域の画像データを用いて、すでに記憶していた画像データを更新する。画像処理部１０５がこの処理を繰り返すことで、操作者が指定した位置における被写体を追尾することができ、ＡＦ処理部１１１は追尾領域が更新されるたびに、新たな追尾領域とその位置が一致するように追尾フォーカス枠を設定する。
【００４４】
図６の６０１は表示部１１０に表示された画像の全体像であり、６０２、６０３、６０４は画像中の人物であり、６０５は追尾領域と同じ位置およびサイズに設定されたフォーカス枠である。
【００４５】
図６（ａ）において、操作者はタッチパネル１１４を用いて、画像上の人物６０２の胸部を選択している。画像処理部１０５は画像データ間で相関の高い領域を検出し続けることにより、図６（ｂ）に示すようにこの人物６０２の胸部を追尾し続け、この追尾の対象である追尾領域と一致するようにフォーカス枠６０５を移動させる。ＡＦ処理部１１１はその間に得られるＡＦ評価値に基づいて、撮影光学部１０１のフォーカスレンズを駆動するため、操作者が選択した被写体に対してピントを合わせ続けることができる。
【００４６】
図７は、タッチ固定フォーカスモードを設定するための図である。本実施形態のタッチフォーカスモードでは、操作者がタッチパネル１１４によって指定した表示部１１０上の任意の位置を中心にフォーカス枠を設定し、フォーカス枠をその位置に固定する。
【００４７】
図７の７０１は表示部１１０に表示された画像の全体像であり、７０２は操作者がタッチパネル１１４を用いて指定した位置に設定されたフォーカス枠である。
【００４８】
図７（ａ）において、操作者はタッチパネル１１４を用いて、任意の位置にフォーカス枠７０２を設定する。ＡＦ処理部１１１は、この位置に固定された固定フォーカス枠からＡＦ評価値を受け取り、そのＡＦ評価値にピントを合わせ続ける。図７（ｂ）に示すように、設定した固定フォーカス枠の位置を人物が通過すれば、ＡＦ処理部１１１は、この人物にピントが合うようにフォーカスレンズを駆動する。このタッチ固定フォーカスモードでも、図４を用いて説明した固定フォーカスモードと同様に、予め不図示のシャッターボタンを半押ししてピント位置を固定させておくことで、いわゆる置きピンによる撮影が可能となる。
【００４９】
次に、操作者がタッチパネル１１４を操作した際のＡＦ処理の選択方法について説明する。図８は、本実施形態におけるフォーカスモードの選択を含む撮像処理を説明するためのフローチャートである。
【００５０】
デジタルカメラの操作者が、不図示の電源スイッチをオンにすると、制御部１１３はこれを検知し、デジタルカメラを構成する各部に電源を供給する。これにより、撮像素子１０３にて被写体像に応じた画像データが連続して生成され、画像処理部１０５を介して出力された画像データをもとに、表示部１１０が動画像をリアルタイムで表示し、図８のフローチャートが開始される。
【００５１】
ステップＳ８０１では、制御部１１３は、前回このデジタルカメラが使用されていたときに設定されていたフォーカスモードを読み出し、ＡＦ処理部１１１はこのフォーカスモードを設定する。ＡＦ処理部１１１は、デジタルカメラの電源が切られる際に、その時点で設定されていたフォーカスモードを不図示のメモリに記憶する。デジタルカメラの電源が切られる際に、多点フォーカスモード、固定フォーカスモード、および、顔フォーカスモードのいずれかが設定されていれば、そのフォーカスモードをそのままメモリに記憶する。これに対して、デジタルカメラの電源が切られる際に、タッチ追尾フォーカスモード、あるいは、タッチＡＦ固定モードのいずれかに設定されていれば、これらいずれかのタッチフォーカスモードに切り替えられる前に設定されていたフォーカスモードを記憶する。すなわち、このステップＳ８０１では、ＡＦ処理部１１１は、多点フォーカスモード、固定フォーカスモード、および、顔フォーカスモードの３つの中のいずれかのフォーカスモードに設定されることになる。
【００５２】
ステップＳ８０２では、制御部１１３は、タッチパネル１１４によって、表示部１１０の画面上の任意の点が操作者によってタッチされたか否かを判定する。制御部１１３は、表示部１１０の画面上の任意の点がタッチされていれば、すなわち、デジタルカメラの操作者によって追尾対象とする被写体の位置の指示が出されていれば、ステップＳ８０３に進む。
【００５３】
ステップＳ８０３では、制御部１１３は、この時点で設定されているフォーカスモードが、タッチ追尾フォーカスモードとタッチ固定フォーカスモードのいずれかであるいか否かを判定する。制御部１１３は、タッチ追尾フォーカスモードとタッチ固定フォーカスモードのいずれかに設定されていれば、フォーカス枠の位置をタッチされた位置に更新してステップＳ８０９に進み、設定されていなければステップＳ８０４に進む。
【００５４】
ステップＳ８０４では、制御部１１３は、設定されているフォーカスモードが固定フォーカスモードであるのか、あるいは、それ以外の多点フォーカスモードおよび顔フォーカスモードのいずれかであるのかを判定する。制御部１１３は、設定されているフォーカスモードが固定フォーカスモードであれば、ステップ８０５へ、設定されているフォーカスモードが多点フォーカスモードと顔フォーカスモードのいずれかであれば、ステップＳ８０６へ進む。
【００５５】
ステップＳ８０５では、制御部１１３は、ＡＦ処理部１１１をタッチ固定フォーカスモードに設定し、タッチパネル１１４によって操作者から指定された位置に固定フォーカス枠を設定し、ステップＳ８０９へ進む。
【００５６】
ステップＳ８０６では、制御部１１３は、ＡＦ処理部１１１をタッチ追尾フォーカスモードに設定し、タッチパネル１１４によって操作者から指定された位置に追尾フォーカス枠を設定する。さらに、上述したように、追尾フォーカス枠に位置する画像データを記憶して、撮像素子１０３から新たな画像データが得られるたびに、記憶した画像データと相関の高い領域を抽出して、画像データを更新する処理を繰り返す追尾処理を開始する。そして、ステップＳ８０９へ進む。
【００５７】
ここで、固定フォーカスモードからタッチ固定フォーカスモードに移行し、多点フォーカスモードまたは顔フォーカスモードからタッチ追尾フォーカスモードに移行する理由について説明する。
【００５８】
フォーカスモードとして固定フォーカスモードを設定するのは、ピントを合わせるべき被写体を画面の指定した位置で撮影したいというように、操作者が自分で構図を決めて撮影する場合が多く、タッチ固定ＡＦパターンと目的とする意図が似ている。そのため、固定フォーカスモードに設定されている状態で、タッチパネル１１４が操作された場合には、タッチ固定フォーカスモードへと切り替わるようにしている。
【００５９】
反対に、フォーカスモードとして多点フォーカスモードや顔フォーカスモードを設定するのは、ピントを合わせるべき被写体の位置に自由度を持たせたい場合や、この被写体が動く場合であってもピントを合わせ続けたい場合が考えられる。この思想はタッチ追尾フォーカスモードと目的とする意図が似ているため、多点フォーカスモードや顔フォーカスモードが設定されている状態で、タッチパネル１１４が操作された場合には、タッチ追尾フォーカスモードへと切り替わるようにしている。
【００６０】
ステップＳ８０２に戻り、制御部１１３は、タッチパネル１１４によって表示部１１０の画面上の任意の点が操作者によってタッチされていないと判定した場合には、ステップＳ８０７に進む。
【００６１】
ステップＳ８０７では、制御部１１３は、操作者が不図示のボタンやダイヤル等を用いて、フォーカスモードの変更の指示を出しているか否かを判定する。指示が出ていればステップＳ８０８に進む、指示が出ていなければステップＳ８０９へ進む。
【００６２】
ステップＳ８０８では、制御部１１３は、操作者から出された指示に従って、フォーカスモードを変更する。ここでは、タッチパネル１１４は操作されていないため、変更可能なフォーカスモードは多点フォーカスモード、固定フォーカスモード、および、顔フォーカスモードのいずれかに制限される。操作者はこれらのフォーカスモードの中からいずれかのフォーカスモードを選択し、制御部１１３はこの操作者の指示に従ってフォーカスモードを変更する。
【００６３】
ステップＳ８０９では、ＡＦ処理部１１１およびＡＥ処理部１１２は、それぞれ設定されたフォーカス枠の画像データに重みをおいて、動画像用のＡＥ、ＡＦ処理を行い、ステップＳ８１０へ進む。
【００６４】
ステップＳ８１０では、制御部１１３は、不図示のシャッタースイッチが半押しされた（ＳＷ１がオンされた）か否かを判定し、半押しされていればステップＳ８１１に進み、そうでなければステップＳ８０２に戻る。
【００６５】
ステップＳ８１１では、制御部１１３は、ＡＦ処理部１１１およびＡＥ処理部１１２に指示を出して、静止画用のＡＦ処理およびＡＥ処理を行い、ピント位置および露出制御値を固定する。ここで、追尾領域が設定されていれば、追尾領域が設定されていない場合に比較して、追尾領域に対する重み付けを大きくしたＡＦ処理、ＡＥ処理を行う。
【００６６】
ステップＳ８１２では、制御部１１３は、不図示のシャッタースイッチが全押しされた（ＳＷ２がオンされた）か否かを判定し、全押しされていればステップＳ８１３に進み、そうでなければステップＳ８０９に戻る。
【００６７】
ステップＳ８１３では、制御部１１３は、ステップＳ８１１で求められた露出制御値に基づいて本露光を行って静止画の画像データを生成し、フォーマット変換部１０７によって所定の形式に変換させ、画像記憶部１０８によって外部メモリに記憶させる。
【００６８】
以上のように、本実施携帯における撮像装置では、操作者がタッチパネルを押圧して、フォーカスを合わせる被写体を指定することに応じて、フォーカスモードをタッチフォーカスモードに設定するようにしている。さらに、操作者が押圧した位置にある被写体にフォーカス枠を固定するタッチ固定フォーカスモードか、押圧した位置にある被写体の動きにフォーカス枠を追尾させるタッチ追尾フォーカスモードかを、その前のフォーカスモードの種類に連動させている。
【００６９】
それによって操作者がタッチパネルを押圧したときに、フォーカス枠を追尾させるか固定させるかの選択を行う手間を省き、利便性を高めることができる。
【００７０】
また、本実施形態では、操作者がタッチパネル１１４を用いて被写体の位置を指定していない場合のＡＦ処理の例として、多点フォーカスモード、固定フォーカスモード、顔フォーカスモードを例にあげたが、これに限られるものではない。被写体の変化に応じて自動的にフォーカス枠の位置およびサイズの少なくとも一方を変化させるフォーカスモードに設定されていれば、操作者がタッチパネル１１４を用いて被写体の位置を指定した場合に、タッチ追尾フォーカスモードに移行させればよい。反対に、被写体が変化しても自動的にフォーカス枠の位置およびサイズを変化させないフォーカスモードに設定されていれば、操作者がタッチパネル１１４を用いて被写体の位置を指定した場合に、タッチ固定フォーカスモードに移行させればよい。
【００７１】
以上、本発明の好ましい実施形態について説明したが、本発明はこれらの実施形態に限定されず、その要旨の範囲内で種々の変形及び変更が可能である。
【符号の説明】
【００７２】
１０１  撮影光学部
１０２  絞り部
１０３  撮像素子
１０４  Ａ／Ｄ変換部
１０５  画像処理部
１０６  メモリ
１０７  フォーマット変換部
１０８  画像記憶部
１０９  表示制御部
１１０  表示部
１１１  ＡＦ処理部
１１２  ＡＥ処理部
１１３  制御部
１１４  タッチパネル
【図１】
2011030008.tif 000003
【図２】
2011030008.tif 000004
【図３】
2011030008.tif 000005
【図４】
2011030008.tif 000006
【図５】
2011030008.tif 000007
【図６】
2011030008.tif 000008
【図７】
2011030008.tif 000009
【図８】
2011030008.tif 000010